(57)【要約】【課題】小型、薄型筐体に実装可能な小型、薄型ステアリングアンテナ装置およびこのステアリングアンテナ装置を搭載した無線機を提供することを目的とする。【解決手段】使用電波の波長に対して１波長以下の第１の地導体１３と、その第１の地導体１３に対して、直立して配置されたアンテナエレメント１１と、そのアンテナエレメントの周囲に配置された１又は２以上のパラスティックエレメント１２と、第１の地導体１３の下方に配置された第２の地導体１４とを備え、第１の地導体１３上を流れる電流を等価的に打ち消す第２の地導体１４を設け、パラスティックエレメント１２を反射器として有効に動作させて、小型で高利得を可能にしたステアリングアンテナ装置１である。【選択図】  図１
2004328224.tif 000002
【特許請求の範囲】
【請求項１】
電気的長さが、使用電波の波長に対して１波長以下の平坦部を有する第１の地導体と、
前記第１の地導体の平坦部のほぼ垂直方向に立設され下端部に給電端子を有するアンテナエレメントと、
前記第１の地導体の平坦部のほぼ垂直方向に立設され、前記アンテナエレメントの周囲に配置された１又は２以上のパラスティックエレメントと、
前記パラスティックエレメントの下端部に接続されたインピーダンス可変器とを有するステアリングアンテナ装置であって、
前記第１の地導体の下方かつ前記第１の地導体の周囲に配設された第２の地導体を備えたことを特徴とするステアリングアンテナ装置。
【請求項２】
前記第１の地導体は、最長部方向及び最短部方向の端部を有する非対称な形状であり、前記最短部方向の端部にのみ前記第２の地導体が単一又は複数個配置されたことを特徴とする請求項１に記載のステアリングアンテナ装置。
【請求項３】
前記第２の地導体の幅は、前記第１の地導体の最長部方向の端部の幅より短く設定されたことを特徴とする請求項２に記載のステアリングアンテナ装置。
【請求項４】
前記第２の地導体の長さは、使用電波の波長に対して概略１／４波長であることを特徴とする請求項１から請求項３のいずれか１項に記載のステアリングアンテナ装置。
【請求項５】
前記第１の地導体の最長部方向の端部の長さは、前記パラスティックエレメントから使用電波の波長に対して概略１／４波長の距離の位置に地導体端があることを特徴とする請求項２から請求項４のいずれか１項に記載のステアリングアンテナ装置。
【請求項６】
前記第２の地導体は階段状の導体で形成されたことを特徴とする請求項１から請求項５のいずれか１項に記載のステアリングアンテナ装置。
【請求項７】
複数の前記第２の地導体が一体で形成されたことを特徴とする請求項１から請求項６のいずれか１項に記載のステアリングアンテナ装置。
【請求項８】
複数の前記第２の地導体と前記第１の地導体の一部分が一体で形成されたことを特徴とするステアリングアンテナ装置。
【請求項９】
請求項１から請求項８のいずれか１項に記載のステアリングアンテナ装置と、無線回路を実装した無線機本体部と、を備えたことを特徴とする無線機。
【請求項１０】
前記無線機本体部の上面部に前記ステアリングアンテナ装置を配置し、前記ステアリングアンテナ装置の第２の地導体を前記無線機本体部の側面の形状に沿って配置した、縦置きで薄型であることを特徴とする請求項９に記載の無線機。
【発明の詳細な説明】
【０００１】
【発明の属する技術分野】
本発明は、無線通信端末に使用されるステアリングアンテナ装置及びこのステアリングアンテナ装置を搭載した無線機に関する。
【０００２】
【従来の技術】
近年、今までは主に有線でデータを通信していたインターネットなどの技術も、準マイクロ波帯やマイクロ波帯を使用した無線通信により行われるようになってきている。このような無線通信においては、自分の所望する方向からの受信感度を上げる等のより高品質な無線回路が要望されるため、アンテナとしてはステアリングアンテナが用いられる。
【０００３】
このステアリングアンテナは、近年の無線通信において受信感度を上げるため及びフェージングの影響を軽減させるために、アンテナの指向性を変化させ、特定方向の利得を上げる機能を有することから使用されるようになってきている（例えば、特許文献１および２参照）。一方、端末の小型化のニーズも高まってきている。
【０００４】
図１１は、従来のステアリングアンテナの一例を示す図である。図１１に示すステアリングアンテナは、アンテナエレメント１１１、複数のパラスティックエレメント（ｐｒａｓｉｔｉｃ  ｅｌｅｍｅｎｔ）１１２、地導体１１３を有する。
【０００５】
アンテナエレメント１１１は、電気的長さが使用電波の波長に対して概略１／４波長である導体棒であり、地導体１１３と共にモノポールアンテナを形成し、下端は整合回路を経由して無線回路に接続されている。
【０００６】
パラスティックエレメント１１２ａ、１１２ｂ、１１２ｃ、１１２ｄは、アンテナエレメントから概略１／４波長の位置に配置されており、そのエレメント長は電気的長さが使用電波の波長に対して概略１／４波長である。各々のパラスティックエレメント１１２ａ、１１２ｂ、１１２ｃ、１１２ｄは、インピーダンスを選択的に変化させるインピーダンス・スイッチング回路を有している。
【０００７】
地導体１１３は、波長に対して十分に大きな直径を有しており、エレメントに電流が流れているとき、境界条件より地導体１１３上での電界の接線成分は０となり、鏡像効果によりダイーポールアンテナと同等の放射特性を示す。
【０００８】
矢印方向１１４に電力を放射するときは、パラスティックエレメント１１２ｃ、１１２ｄに接続されている回路のインピーダンスを変化させ、地導体１１３のグランドに短絡させることで使用周波数に対して共振して反射器として動作し、図１２のような指向特性を得ることができる。このとき、パラスティックエレメント１１２ａ、１１２ｂは両端開放の状態となっており使用周波数に対して共振せずに指向性にはほとんど影響しない。
【０００９】
【特許文献１】
特開平１０−１５４９１１号公報
【特許文献２】
特開２００２−１６４７３０号公報
【００１０】
【発明が解決しようとする課題】
しかしながら、図１１に示す従来のステアリングアンテナの場合、地導体の直径が１波長以下になると、地導体上に流れる電流が無視できなくなり、地導体に短絡された動作状態のパラスティックエレメントが正常に動作せず、特性が劣化してしまう。また、地導体の形状がアンテナエレメントに対して非対称となっている場合、最短部方向の利得が劣化してしまい、水平方向の放射方向に対して利得差が生じてしまう。よって１波長以下の地導体の小型化、地導体の形状を変えることは困難である。
【００１１】
本発明はかかる点に鑑みてなされたものであり、薄型筐体に実装可能な薄型ステアリングアンテナ装置及びこのステアリングアンテナ装置を搭載する無線機を提供することを目的とする。
【００１２】
【課題を解決するための手段】
本発明のステアリングアンテナ装置は、電気的長さが、使用電波の波長に対して１波長以下の平坦部を有する第１の地導体と、前記第１の地導体の平坦部のほぼ垂直方向に立設され下端部に給電端子を有するアンテナエレメントと、前記第１の地導体の平坦部のほぼ垂直方向に立設され、前記アンテナエレメントの周囲に配置された１又は２以上のパラスティックエレメントと、前記パラスティックエレメントの下端部に接続されたインピーダンス可変器とを有するステアリングアンテナ装置であって、前記第１の地導体の下方、かつ前記第１の地導体の周囲に配置された第２の地導体を備えたことを特徴とする。
【００１３】
第２の地導体は、動作状態のパラスティック素子による第１の地導体上に流れる電流を等価的に打ち消す向きに電流を流す機能を有し、動作状態のパラスティック素子を反射器として正常に動作させ、所望の方向に、より高利得で良好な水平面指向性特性を得ることができる。
【００１４】
本発明のステアリングアンテナ装置は、前記第１の地導体が最長部方向及び最短部方向の端部を有する非対称な形状であり、前記最短部方向の端部にのみ前記第２の地導体が単一又は複数個配置されたことが好ましい。
【００１５】
これにより、最短部方向のパラスティックエレメントが動作状態の場合、前記第１の地導体に流れる電流を打ち消し、最短部方向にビームを放射したときの正面方向放射利得を向上させることができ、すべての放射方向に対して同等の特性を得ることができるステアリングアンテナ装置を実現できる。
【００１６】
本発明のステアリングアンテナ装置は、前記第２の地導体の幅が前記第１の地導体の最長部方向の端部の幅より短く設定されたことが好ましい。
【００１７】
これにより、最短部方向の放射利得を向上させることができると共に、最短部方向のパラスティックエレメントが反射器として動作状態に該第２の地導体上を流れる電流の方向を制限することが可能となり、ＦＢ比も向上させることができる。
【００１８】
本発明のステアリングアンテナ装置は、前記第２の地導体の長さが使用電波の波長に対して概略１／４波長であることが好ましい。
【００１９】
本発明のステアリングアンテナ装置は、前記第１の地導体の最長部方向の端部の長さが、前記パラスティックエレメントから使用電波の波長に対して概略１／４波長の距離の位置に地導体端があることが好ましい。
【００２０】
これにより、動作状態の概略１／４波長の電気的長さを有するパラスティック素子による第１の地導体上に流れる電流を等価的に打ち消す向きに電流を流す機能を有し、前記パラスティック素子を反射器として正常に動作させ、第１の地導体上を流れる電流はほとんど無視できるほど小さくすることができ、さらに最長部方向の放射利得を向上させることができると共に、ＦＢ比も向上させることができる。
【００２１】
本発明のステアリングアンテナ装置は、前記第２の地導体が、階段状の導体で形成されたことが好ましい。
【００２２】
これにより、ステアリングアンテナ装置下部に前記第１の地導体の最短部方向の幅より広い導体が配置されたときにおいても、ステアリングアンテナ装置を配置することができる。
【００２３】
本発明のステアリングアンテナ装置は、前記複数の第２の地導体が一体で形成されたことが好ましい。
【００２４】
これにより、前記第２の導体の配置、形状の変更を容易に行うことができる。
【００２５】
本発明のステアリングアンテナ装置は、前記複数の第２の地導体と前記第１の地導体の一部分が一体で形成されたことが好ましい。
【００２６】
これにより、前記第１の地導体を容易に追加、変更することができる。
【００２７】
本発明に係る無線機は、本発明のステアリングアンテナ装置と、無線回路を実装した無線機本体部とを備えたことを特徴とする。
【００２８】
本発明の無線機は、前記無線機本体部の上面部に前記ステアリングアンテナ装置を配置し、前記ステアリングアンテナ装置の第２の地導体を前記無線機本体部の側面の形状に沿って配置した、縦置きで薄型であることが好ましい。
【００２９】
これにより、様々な形状かつ小型で薄型の無線機が実現できる。
【００３０】
【発明の実施の形態】
以下、本発明の実施の形態について、添付図面を参照して詳細に説明する。
（実施の形態１）
図１は、本発明の実施の形態１に係るステアリングアンテナ装置を示す図である。
【００３１】
図１に示すステアリングアンテナ装置１は、アンテナエレメント１１と、アンテナエレメント１１の周りに配置されたパラスティックエレメント１２と、直径が１波長よりも小さい円形の第１の地導体１３と、第２の地導体１４を有する。
【００３２】
アンテナエレメント１１と、アンテナエレメント１１の周りに配置されたパラスティックエレメント１２は、第１の地導体１３の平坦部にほぼ垂直に立設されている。詳しくは、アンテナエレメント１１およびパラスティックアンテナ１２は、第１の地導体１３の平坦部に対して所定の許容誤差範囲内で（設定された電波の放射方向および強度が得られる範囲内）傾いた角度で立設されている。
【００３３】
アンテナエレメント１１は、電気的長さが使用電波の波長に対して実質的に概略１／４波長である導体棒であり、第１の地導体１３と第２の地導体１４と共にモノポールアンテナを形成し、下端部は整合回路を経由して無線回路に接続されている。上記整合回路は、例えば、マイクロストリップライン等の能動素子からなるインピーダンスマッチング回路であり、無線回路は、後記する無線機本体部の導体９５，１０５内に収納されるＲＦ回路等である。
【００３４】
４本のパラスティックエレメント１２は、アンテナエレメント１１から概略１／４波長の位置に配置されており、そのエレメント長は電気的長さが使用電波の波長に対して概略１／４波長である。４本のパラスティックエレメント１２は、各々が第１のパッド１５、ＰＩＮダイオード１６を経由して第２のパッド１７に接続されており、第２のパッド１７は第１の地導体１３のグランドと電気的に等価である。ＰＩＮダイオード１６は、後記する無線機本体部の導体９５または１０５内の制御回路（図示せず）からの信号によって制御され、ＰＩＮダイオード１６に一定以上の電圧がかかると、低インピーダンスの状態となりパラスティックエレメント１２はグランドに対して短絡する。このとき、パラスティックエレメント１２は、使用電波の波長に対して１／４波長の片端短絡のエレメントとなるため、使用周波数に対して共振し、反射器として動作する。ＰＩＮダイオード１６が動作していないパラスティックエレメント１２は、両端開放のエレメントになるため、使用周波数に対して共振せずに指向性には影響を及ぼさない。上記制御回路は、隣り合うパラスティックエレメント１２に接続されているＰＩＮダイオード１６を２つ１組で動作させることにより、反射特性がより向上し、４つの方向にビームを振り分けることができる。
【００３５】
第２の地導体１４は、第１の地導体１３の円周上を囲むように配置されている薄い導体で、第１地導体１３との垂直方向の長さは１／４波長に設定されている。第２の地導体１４は、第１の地導体１３上を流れる電流に対して等価的に打ち消す方向に電流を流す機能をもち、第１の地導体１３上に流れる電流を等価的に減少させ、短絡されたパラスティックエレメント１２は反射器として正常に動作し、小型で高利得なステアリングアンテナ装置１が実現できる。
【００３６】
また、図１においてアンテナエレメント１１はモノポールアンテナとなっているがジグザグ形状、コイル状等の形状のアンテナを用いてもよい。また、パラスティックエレメント１２は４本に限定しなくてもよく、ＰＩＮダイオード１６を用いずに半導体夢接点スイッチング素子や、他のリアクタンス制御回路を用いてもよく、１度に制御する素子は２つでなくてもよい。
【００３７】
（実施の形態２）
図２は、本発明の実施の形態２に係るステアリングアンテナ装置を示す図である。
【００３８】
図２に示すステアリングアンテナ装置は、上述の実施の形態１に示す第１の地導体１３、第２の地導体１４の形状を変化させた例である。
【００３９】
アンテナエレメント２１は、電気的長さが使用電波の波長に対して概略１／４波長である導体棒であり、第１の地導体２３と第２の地導体２４と共にモノポールアンテナを形成し、下端部では整合回路を経由して無線回路に接続されている。
【００４０】
４本のパラスティックエレメント２２ａ、２２ｂ、２２ｃ、２２ｄは、アンテナエレメント２１から概略１／４波長の位置に配置されており、エレメント長は電気的長さが使用電波の波長に対して概略１／４波長である。４本のパラスティックエレメント２２は、実施の形態１と同様に、各々がＰＩＮダイオード１６を有する制御回路を有しており、この制御回路は、隣り合うパラスティックエレメント２２に接続されているＰＩＮダイオード１６を２つ１組で動作させることにより、反射特性がより向上し４つの方向にビームを振り分けることができる。
【００４１】
第１の地導体２３は、最長部方向および最短部方向の端部を有する長方形の形状となっており、パラスティックエレメント２２から最長部方向の地導体端までの距離は１／４波長に設定している。
【００４２】
ここで、最長部方向の端部とは、長方形の長辺部２５をいい、最短部方向の端部とは、長方形の短辺部２６をいう。
【００４３】
第２の地導体２４は、第１の地導体２３の最短部方向の端部に取り付けたものである。その水平方向の長さは、第１の地導体２３の長方形の長辺部２５と等しい長さであり、その垂直方向の長さは、１／４波長に設定している。
【００４４】
パラスティックエレメント２２ｂ、２２ｃを反射器として動作させ、最短部方向にビームを放射したとき、第２の地導体２４上には、第１の地導体２３上を流れる電流に対して等価的に打ち消す方向に電流が流れ、短絡したパラスティック素子２２ｂ、２２ｃは反射器として正常に動作する。
【００４５】
本実施の形態によれば、最短部方向の水平方向正面利得を向上させることができ、第１の地導体２３を長方形以外の形状に変えても４方向に等しい電力を放射することができる薄型のステアリングアンテナ装置を実現することができる。
【００４６】
（実施の形態３）
図３は、本発明の実施の形態３に係るステアリングアンテナ装置を示す図である。
【００４７】
図３に示すステアリングアンテナ装置は、上述した実施の形態２に示す第２の地導体２４の水平方向の長さを変化させ、第１の地導体３３の最長部方向の端部よりも短くしたものである。
【００４８】
なお、実施の形態３においても実施の形態２と同様にアンテナエレメント３１、パラスティックエレメント３２ａ、３２ｂ、３２ｃ、３２ｄを備える。
【００４９】
パラスティックエレメント３２ｂ、３２ｃを反射器として動作させ、最短部方向にビームを放射したとき、第２の地導体３４上には、第１の地導体３３上を流れる電流に対して等価的に打ち消す方向に電流が流れ、短絡したパラスティックエレメント３２ｂ、３２ｃは反射器として正常に動作する。このとき第２の地導体３４を流れる電流は幅が狭い分制限された方向に流れる。
【００５０】
図４は、実施の形態２において、最短部方向にビームを放射した場合（パラスティックエレメント２２ｂ、２２ｃに接続されているＰＩＮダイオード１６を短絡した場合である）の水平方向指向性を示すグラフであり、図５は本実施の形態において、最短部方向にビームを放射した場合（パラスティックエレメント３２ｂ、３２ｃに接続されているＰＩＮダイオード１６を短絡した場合である）の水平方向指向性を示すグラフである。
【００５１】
本実施の形態によれば、最短部方向の水平方向利得を向上させることができると共に、実施の形態２の場合よりも、第２の地導体３４に流れる電流の向きが制限され、ＦＢ比（Ｆｒｏｎｔ  ｔｏ  Ｂａｃｋ  Ｒａｔｉｏ）も向上させることができる。
【００５２】
（実施の形態４）
図６は、本発明の実施の形態４に係るステアリングアンテナ装置を示す図である。
【００５３】
図６に示すステアリングアンテナ装置は、実施の形態３に示した第２の地導体３４を複数個に分割したものである。実施の形態４においても実施の形態３と同様にアンテナエレメント６１、パラスティックエレメント６２を備える。好適には、第１の地導体６３に対する第２の地導体６４の垂直方向の長さは、１／４波長に設定する。また、図６に示すように、第２の地導体６４は、パラスティックエレメント６２に近接して設置するようにする。
【００５４】
本実施の形態によれば、最短部方向の水平方向の利得を向上させることができるとともに、実施の形態３の場合よりもさらに、第２の地導体６４に流れる電流の向きが制限され、ＦＢ比も向上させることができ、より小型のステアリングアンテナ装置を実現することができる。
【００５５】
（実施の形態５）
図７は、本発明の実施の形態５に係るステアリングアンテナ装置を示す図である。
【００５６】
アンテナ部７９は、誘電体基板７３ａと、誘電体基板７３ａの垂直方向に対して、所定の許容誤差範囲内で傾いた角度で立設され、電気的長さが、使用電波の波長に対して概略１／４波長のアンテナエレメント７１と、そのアンテナエレメント７１の周囲に配置された電気的長さが、使用電波の波長に対して概略１／４波長の４本のパラスティックエレメント７２と、第１のネジ７６および第１のネジ穴７７を有している。
【００５７】
板金７５は、第１の地導体の１部７３ｂと、第２の地導体７４と、第２のネジ穴７８で構成されている。アンテナ部７９と、板金７５を接続したときに、第１の地導体の１部７３ｂは、誘電体基板７３ａの最長部方向の端部よりも長く、外にはみ出す構造になっている。
【００５８】
誘電体基板７３ｂは、誘電体が導体で挟まれた形状をしており、表面と裏面がスルーホールでつながれており、第１の地導体の１部を形成すると共に誘電体基板７３ａ上には、適宜給電回路及びパラスティックエレメント７２のスイッチング回路が配置される。
【００５９】
誘電体基板７３ａに第１のネジ穴７７を、第２の地導体７４に第２のネジ穴７８を設けておくことにより、ネジ７６により、板金７５に絞りタップを設けるか、ナットを使用することで容易に取り付けることができ、誘電体基板７３と板金７５を電気的に接触させることで、地導体を一体化することができる。
【００６０】
（実施の形態６）
図８は、本発明の実施の形態５に係るステアリングアンテナ装置を示す図である。
【００６１】
アンテナ部８９は、図７に示した構成と同様に、アンテナエレメント８１と、４本のパラスティックエレメント８２と、誘電体基板８３と、第１のネジ穴８７を有している。
【００６２】
板金８５は、第２の地導体８４と、ネジ８６および第２のネジ穴８８を有しており、誘電体基板８３に第１のネジ穴８７を、第２の地導体８４に第２のネジ穴８８を設けておくことにより、ネジ８６により容易に取り付けることができる。また、アンテナ上部から板金８５をかぶせる構造となっているため、アンテナ部８９を筐体などに固定し同軸線等で回路側と接続した場合においても、板金８５を取り付け取り外しすることができ、メンテナンスなどの作業時に第２の地導体８４が邪魔にならず作業性が向上する。
【００６３】
本実施の形態においては、ネジにより固定を行っているが、ボスやビスなどによって固定してもよく、板金を第１の地導体にはめ込むようにしてもよい。
【００６４】
（実施の形態７）
図９は、本発明の実施の形態６に係るステアリングアンテナ装置を搭載した無線機の斜視図である。ステアリングアンテナ装置の下部に第１の地導体９３の最長部方向の端部よりも幅の狭い、無線回路や制御回路などを中に収納したシールドなどの無線機本体部の導体９５が配置された場合を示している。このとき、無線機本体部の導体９５に第２の地導体９４が触れないように置くことで薄型形状の無線機本体部の導体９５の上部にステアリングアンテナ装置を効率良く配置することが可能となり、薄型形状の筐体に収納することができ、縦置き薄型の無線機を実現することができる。
【００６５】
（実施の形態８）
図１０は、本発明の実施の形態７に係るステアリングアンテナ装置を搭載した無線機を示す斜視図である。ステアリングアンテナ装置下部の導体１０５の形状が、第１の地導体１０３の最長部方向の端部よりも幅の広い場合を示している。
【００６６】
このとき、第２の地導体１０４の形状を無線機本体部の導体１０５の上部の形状に沿って階段状にすることで、幅の広い導体１０５の上部にもステアリングアンテナ装置を配置することが可能となり、縦置き薄型の無線機を実現することができる。また、図１０では、第２の地導体１０４の形状は、階段状となっているが、曲線としても良い。
【００６７】
【発明の効果】
以上説明したように、本発明のステアリングアンテナ装置は、第１の地導体の直径が１波長以下、またはアンテナに対して非対称な形状をしていても、第２の地導体を取り付けることにより、所望の方向の利得劣化を抑制でき、すべての放射方向に対してほぼ等しい電力を放射できる薄型筐体に適した形状のステアリングアンテナ装置を実現できる。
【図面の簡単な説明】
【図１】本発明の実施の形態１に係るステアリングアンテナ装置を示す斜視図である。
【図２】本発明の実施の形態２に係るステアリングアンテナ装置を示す斜視図である。
【図３】本発明の実施の形態３に係るステアリングアンテナ装置を示す斜視図である。
【図４】実施の形態２に係るステアリングアンテナ装置の水平方向指向性を示すグラフである。
【図５】実施の形態２に係るステアリングアンテナ装置の水平方向指向性を示すグラフである。
【図６】本発明の実施の形態４に係るステアリングアンテナ装置を示す斜視図である。
【図７】本発明の実施の形態５に係るステアリングアンテナ装置を示す斜視図である。
【図８】本発明の実施の形態６に係るステアリングアンテナ装置を示す斜視図である。
【図９】本発明の実施の形態７に係る無線機を示す外観図である。
【図１０】本発明の実施の形態８に係る無線機を示す外観図である。
【図１１】従来のステアリングアンテナ装置の一例を示す概念図である。
【図１２】従来のステアリングアンテナ装置における水平方向指向性示すグラフである。
【符号の説明】
１  ステアリングアンテナ装置
１１１  アンテナエレメント
１１２ａ、１１２ｂ、１１２ｃ、１１２ｄ  パラスティックエレメント
１１３  地導体
１１４  矢印方向
１１、２１、３１、６１、７１、８１、９１、１０１  アンテナエレメント
１２、２２ａ、２２ｂ、２２ｃ、２２ｄ  パラスティックエレメント
３２ａ、３２ｂ、３２ｃ、３２ｄ  パラスティックエレメント
６２、７２、８２、９２、１０２  パラスティックエレメント
１３、２３、３３、６３、９３、１０３  第１の地導体
１４、２４、３４、６４、７４、８４、９４、１０４  第２の地導体
１５  第１のパッド
１６  ＰＩＮダイオード
１７  第２のパッド
２５  長方形の長辺部
２６  長方形の短辺部
７３ａ、７３ｂ、８３  誘電体基板
７５、８５  板金
７６、８６  ネジ
７７、８７  第１のネジ穴
７８、８８  第２のネジ穴
７９、８９  アンテナ部
９５、１０５  無線機本体部の導体
【図１】
2004328224.tif 000003
【図２】
2004328224.tif 000004
【図３】
2004328224.tif 000005
【図４】
2004328224.tif 000006
【図５】
2004328224.tif 000007
【図６】
2004328224.tif 000008
【図７】
2004328224.tif 000009
【図８】
2004328224.tif 000010
【図９】
2004328224.tif 000011
【図１０】
2004328224.tif 000012
【図１１】
2004328224.tif 000013
【図１２】
2004328224.tif 000014